(57)【要約】      （修正有）【課題】ショーケースの規定を越える温度の環境下では、圧縮機出力を落とし、基板近辺の凝縮器ファンの速度を上昇させ、基板側風速をあげることで、基板の温度上昇による故障を抑制するとともに、なるべく、基板保護制御時に消費電力が増えないようにすることができる。【解決手段】ショーケース本体の下部に形成される機械室に冷却ユニットとしての凝縮器、凝縮器ファン、圧縮機、圧縮機コントローラが設置されるショーケースにおいて、圧縮機コントローラ１７の発熱部品が予定温度を超えたもしくは越える見込みのとなった場合は、凝縮器ファンの速度を上げ、また、圧縮機出力を低下させるが、凝縮器ファン１３ａの速度を上げる場合、凝縮器ファンの合計での電力が、電力供給側の能力を超える場合は、圧縮機コントローラ１７の発熱部品に寄与しない凝縮器ファン１３ｂの回転数を下げる。【選択図】図２
2013204964.tif 000002
【特許請求の範囲】
【請求項１】
ショーケース本体の下部に形成される機械室に冷却ユニットとしての凝縮器、凝縮器ファン、圧縮機、圧縮機コントローラが設置されるショーケースにおいて、
圧縮機コントローラの発熱部品が規定の温度を超えたもしくは越える見込みのとなった場合は、凝縮器ファンの速度を上げ、また、圧縮機出力を低下させるが、凝縮器ファンの速度を上げる場合、凝縮器ファンの合計での電力が、電力供給側の能力を超える場合は、圧縮機コントローラの発熱部品に寄与しないファンの回転数を下げることを特徴としたショーケースの運転方法。
【発明の詳細な説明】
【技術分野】
【０００１】
本発明は、冷凍冷蔵ショーケースや冷温蔵ショーケースなどで、ショーケース本体の下部に形成される機械室内に凝縮器や圧縮機などにより構成される冷凍装置を配設したショーケースに関するものである。
【背景技術】
【０００２】
特許文献１および特許文献２には、冷凍ユニットを内蔵するショーケースが記載されており、複数の商品棚が多段に設置された商品陳列室の周囲に、ファンにより冷却器を通して冷気を循環させながら商品陳列室へ冷気を供給し商品棚および商品全体を冷却している。
【特許文献１】特開２００８−２４９１８４号公報
【特許文献２】特開２０１１−２４７４６８号公報
【０００３】
そして、ショーケース本体の下部に形成される機械室１１には、図２に示すように、冷却ユニットとしての凝縮器１２、凝縮器ファン１３、ドレンパン１４、アキュームレーター１５、圧縮機１６等が設置される。
【０００４】
図中１７は、圧縮機コントローラで、これも機械室１１にコントロールボックスのユニットとして設置され、内部には電子機器基盤などの発熱部品が収められる。
【０００５】
凝縮器ファン１３は、その吸い込み力で機械室１１のスリットのある前面パネルから取り込んだ風を凝縮器１２を通過させ、これを冷却するとともに、ドレンパン１４に送り、ドレンの蒸発を促進させ、また、圧縮機１６や圧縮機コントローラ１７も冷却する。
【発明の開示】
【発明が解決しようとする課題】
【０００６】
ショーケースの規定を越える温度の環境下では、前記圧縮機コントローラ１７の発熱部品である基板は温度上昇により故障が発生してしまうおそれがある。
【０００７】
この基板の温度上昇を抑えるには、凝縮器ファン１３の速度を上昇させ、基板側風速をあげることになるが、凝縮器ファン１３の全てのファンの回転数を上げてしまうと消費電力が増えてしまう。
【０００８】
本発明の目的は前記従来例の不都合を解消し、ショーケースの規定を越える温度の環境下では、圧縮機出力を落とし、基板近辺の凝縮器ファンの速度を上昇させ、基板側風速をあげることで、基板の温度上昇による故障を抑制するとともに、なるべく、基板保護制御時に消費電力が増えないように運転するショーケースを提供することにある。
【課題を解決するための手段】
【０００９】
前記目的を達成するため、請求項１記載の本発明は、ショーケース本体の下部に形成される機械室に冷却ユニットとしての凝縮器、凝縮器ファン、圧縮機、圧縮機コントローラが設置されるショーケースにおいて、圧縮機コントローラの発熱部品が予定温度を超えたもしくは越える見込みのとなった場合は、凝縮器ファンの速度を上げ、また、圧縮機出力を低下させるが、凝縮器ファンの速度を上げる場合、凝縮器ファンの合計での電力が、電力供給側の能力を超える場合は、圧縮機コントローラの発熱部品に寄与しないファンの回転数を下げることを要旨とするものである。
【００１０】
請求項１記載の本発明によれば、ショーケースの規定を越える温度の環境下では、圧縮機出力を落とし、基板近辺の凝縮器ファンの速度を上昇させ、基板側風速をあげることで、基板の温度上昇による故障を抑制するが、凝縮器ファンの全てのファンの回転数を上げてしまうと消費電力が増えてしまうので、圧縮機コントローラの発熱部品に寄与しないファン、すなわち基板遠方側のファン速度を低下させることにより基板保護制御時に消費電力が増えないようにすることができる。
【発明の効果】
【００１１】
以上述べたように本発明のショーケースは、ショーケースの規定を越える温度の環境下では、圧縮機出力を落とし、基板近辺の凝縮器ファンの速度を上昇させ、基板側風速をあげることで、基板の温度上昇による故障を抑制するとともに、なるべく、基板保護制御時に消費電力が増えないようにすることができるものである。
【発明を実施するための最良の形態】
【００１２】
以下、図面について本発明の実施の形態を詳細に説明する。図１は本発明のショーケースの１実施形態を示す凝縮器ファンの制御フローで、図２は、本発明のショーケースの１実施形態を示す機械室における回路ブロック図で、図３は本発明のショーケースの１実施形態を示す説明図で、図中１３ａ，１３ｂは凝縮器ファンで、これは図４に示すようにショーケース本体の下部に形成される機械室１１に設置される。
【００１３】
また、機械室１１には、内部に電子機器基盤などの発熱部品が収められた圧縮機コントローラ１７も設けられる。
【００１４】
前記凝縮器ファン１３ａ，１３ｂは凝縮器１２を冷却するものとして設置されるが、凝縮器ファン１３ａは圧縮機コントローラ１７の基板に近いファンで、該基板の冷却に積極的に関与するファン、凝縮器ファン１３ｂは基板から離れており、圧縮機コントローラ１７の発熱部品にあまり寄与しないファンである。
【００１５】
なお、図３に示すように機械室１１には、ドレンパン、アキュームレーター、圧縮機等も設置されるが、図示は省略している。
【００１６】
ショーケースでオープンタイプのものは、図示は省略するが、断熱壁で形成され前面に商品出し入れ用の開口を有するショーケース本体内を仕切板で商品収納庫と冷気循環ダクトとに区画し、商品収納庫内に複数段の陳列棚を前後にスライド自在に配設し、冷気循環ダクト内に送風機と冷却器とを配設して、商品収納庫の下方に設けた吸込口から吸込んだ空気を冷却して冷気として上方の吹出口から前面の開口に向けて吹出し、ここに冷気エアカーテンを形成して商品収納庫内の商品を保冷する。
【００１７】
前記圧縮機、凝縮器１２、冷却器などの冷媒回路は、ショーケースで、収納するエリアである商品収納庫を冷やすための冷気を作るためのものであり、凝縮器ファン１３ａ，１３ｂはサブクールを作るためのものである。
【００１８】
本発明は、図１に記載する制御フローチャートに示すように、圧縮機コントローラ１７の発熱部品である基板が規定温度を超えたもしくは越える見込みとなった場合は、凝縮器１２の冷却と兼用の空冷ファンである凝縮器ファン１３の速度を上げることとした。同時に、圧縮機の出力を低下させる。
【００１９】
圧縮機コントローラ１７の発熱部品である基板が予定温度を超えたもしくは越える見込みとなったことの検知は基板または基板近くに設ける温度センサをもって行い、該温度センサの出力をマイコンによる圧縮機コントローラ１７（制御装置）に導入し、圧縮機コントローラ１７で圧縮機の駆動モータを制御することにより行う。
【００２０】
また、凝縮器ファンの速度を上げることとした場合は、凝縮器ファン１３ａ，１３ｂの合計での電力が、電力供給側の能力を超える場合は、圧縮機コントローラ１７の発熱部品に寄与しないファンである凝縮器ファン１３ｂは回転数を下げることとした。
【００２１】
図示の例は一例であるが、凝縮器ファン１３ａを１００％から１２０％として回転数を増加した場合、凝縮器ファン１３ｂは１００％から８０％として減少させる。
【００２２】
このように、基板遠方側のファン速度を低下させることにより基板保護制御時に消費電力が増えないようにすることができる。
【図面の簡単な説明】
【００２３】
【図１】本発明のショーケースの実施形態を示す凝縮器ファンの制御フローである。
【図２】本発明が実施されるショーケースの機械室の説明図である。
【図３】ショーケースの機械室の平面図である。
【図４】本発明のショーケースの１実施形態を示す機械室の回路ブロック図である。
【符号の説明】
【００２４】
１１…機械室                １２…凝縮器
１３，１３ａ，１３ｂ…凝縮器ファン
１４…ドレンパン            １５…アキュームレーター
１６…圧縮機
１７…圧縮機コントローラ
【図１】
2013204964.tif 000003
【図２】
2013204964.tif 000004
【図３】
2013204964.tif 000005
【図４】
2013204964.tif 000006